(57)【要約】【課題】ＡＣ栓刃の法的な寸法とＡＣプラグの機械的強度を確保すると共に、製品の薄型化だけではなく投影面積でも製品の小型化を実現できるＡＣアダプタを提供することを目的とする。【解決手段】ＡＣ商用電源に接続するＡＣプラグを回動自在に設け、この回動自在なＡＣプラグをＡＣ栓刃の栓刃間隔が製品の厚み方向になるように収納し、ＡＣ栓刃の収納に伴いＡＣ栓刃の栓刃間隔が小さくなることを特徴とするものである。【選択図】　図１
2004071543.tif 000002
【特許請求の範囲】
【請求項１】
ＡＣ商用電源と接続するためのダイレクトプラグインタイプのＡＣプラグを備え、前記電源と未接続時にはＡＣプラグを回転させることによりＡＣプラグを機器の表面から出っ張らないように収納できることを特徴とするＡＣアダプタであって、前記、ＡＣプラグは、それぞれ１つの栓刃を備えたプラグ２１とプラグ２２により構成され、ＡＣプラグが収納された状態から引き出された状態まで回転しながら移行する間に、栓刃を備えて、ＡＣアダプタに収納された時、ＡＣアダプタの内側に配置されるプラグ２２が、栓刃を備えて、ＡＣアダプタに収納された時、ＡＣアダプタの外側に配置されるプラグ２１に対してスライドして広がり、ＡＣアダプタから引き出された時、収納されている時よりＡＣ栓刃の間隔が大きくなり、栓刃の間隔が法的に要求される寸法を満足することを特徴とするＡＣアダプタ。
【請求項２】
機器に収納された時、機器の内側に配置され、機器に収納された状態から引き出された状態になる時のプラグ２１とプラグ２２の栓刃の間隔が１．２倍になることを特徴とする請求項１記載のＡＣアダプタ。
【請求項３】
機器に収納された時、機器の内側に配置されるプラグ２２は爪を備え、機器に収納された時、機器の外側に配置されるプラグ２１は、前記プラグ２２の爪と係合される係合溝を備え、組み合わせることで１つの部品（ＡＣプラグ）として扱えることを特徴とする請求項１記載のＡＣアダプタ。
【請求項４】
プラグ２１とプラグ２２の樹脂部がＰＢＴ（ポリブチレンテレフタレート）、ＰＯＭ（ポリアセタール）、ＰＰＥ（ポリフェニレンエーテル）のような熱可塑性樹脂で構成されたことを特徴とする請求項１記載のＡＣアダプタ。
【請求項５】
機器に収納された状態と引き出された状態とを維持するために、ＰＢＴ（ポリブチレンテレフタレート）のような熱可塑性樹脂からなるＡＣプラグホルダー５と組み合わせて使用することを特徴とし、前記ＡＣプラグホルダー５にはＡＣプラグと係合される係合突起が２ケ所備えられ、ＡＣプラグを構成する２つのプラグの内、機器に収納された時、機器の外側に配置されるプラグ２１に、前記ＡＣプラグホルダー５の係合突起５ａと係合される係合溝２２ｂを４ケ所備えたことを特徴とする請求項１記載のＡＣアダプタ。
【請求項６】
ＡＣプラグの栓刃とＡＣアダプタに内蔵された充電または接続回路との接続を、充電または接続回路が配置されたプリント基板７に備えられたリン青銅のような導電性金属からなる接続端子により行うことを特徴とする請求項１記載のＡＣアダプタ。
【発明の詳細な説明】
【０００１】
【発明の属する技術分野】
本発明は、携帯型電子機器等に電源を供給する、電源ダイレクトプラグインタイプのＡＣプラグを備えたＡＣアダプタ、または、携帯型電子機器等の電池を充電する充電器に関するものである。
【０００２】
【従来の技術】
近年、携帯電話やＰＤＡ（携帯情報端末）といった携帯可能な電子機器の市場が急速に伸びている。携帯型電子機器に電源を供給するＡＣアダプタ、または、携帯型電子機器の電池を充電する充電器については、その多くが携帯性を確保・向上するため、ＡＣ商用電源との接続をダイレクトプラグインタイプのＡＣプラグにより行っている。
【０００３】
しかしながら、上述の様な携帯型電子機器であって、電源を供給するＡＣアダプタ、または、携帯型電子機器の電池を充電する充電器で、ＡＣプラグを有する機器にあっては、電子部品の小型低背化が進む中、ＡＣプラグの形状のため、製品の薄型化、小型化を著しく向上することが困難であった。
【０００４】
上述の課題を解決するために、従来は平行に向かい合うように配設された一対の長方形板状のプラグ刃本体と、各プラグ刃本体の一短辺に沿って設けられ、前記プラグ刃本体を回動可能に支持する軸部とを備え、前記プラグ刃本体の各々は、立設状態から前記本体ケースの方向に向かって同方向に回動可能に前記軸部に支持されており、重なり合うようにして前記本体ケースに収納されることにより機器の小型化を図ったものがあった（例えば特許文献１参照）。
【０００５】
【特許文献１】
実開平７−１８３７１号公報（第２頁）
【０００６】
【発明が解決しようとする課題】
しかしながら、上記従来の技術において、製品の薄型化は実現できたが、プラグ刃が機器に収納されるときに、プラグ刃が重なり合うため、収納状態から立設とするときに伝達構造体のような部品が必要となり、また、この伝達構造体が可動するスペースが必要となるため、部品の削減、投影面積の省スペース化が非常に難しいという課題があった。また、プラグ刃の立設状態での機械的強度を確保するために、伝達構造体の構成を安価な樹脂等で構成することが困難であると考えられる。
【０００７】
本発明は、この様な課題を解決するものであり、必要最小限の部品構成でＡＣ栓刃の法的な寸法とＡＣプラグの機械的強度を確保すると共に、製品の薄型化だけではなく投影面積でも小型化を実現でき、ＡＣプラグの操作性を確保できるＡＣアダプタを提供することを目的とする。
【０００８】
【課題を解決するための手段】
上記目的を達成するために本発明のＡＣアダプタは、充電、又は接続回路が内蔵され、前記充電又は接続回路をＡＣ商用電源に接続するＡＣプラグを回動自在に設け、この回動自在なＡＣプラグをＡＣ栓刃の栓刃間隔が製品の厚み方向になるように収納し、ＡＣ栓刃の収納に伴いＡＣ栓刃の栓刃間隔が小さくなることを特徴するものである。
【０００９】
これによると、ＡＣ栓刃が突出した状態でＡＣ栓刃の法的な寸法とＡＣプラグ部の機械的強度を確保すると共に、製品の薄型化だけではなく投影面積でも製品の小型化を実現できるＡＣアダプタを提供することができる。
【００１０】
【発明の実施の形態】
以下、本発明の好ましい実施の形態について図面を参照しながら詳細に説明する。
【００１１】
（実施の形態１）
図１、図２において、１はＡＣアダプタ本体であり、充電制御を行う充電回路か、もしくはＡＣプラグ２と被充電対象の携帯電話や携帯型電子機器４とを電気的に接続する接続回路を内部に備えている。
【００１２】
１ａはＡＣプラグの回転ガイド溝でありＡＣプラグ２の回転ガイド突起２ｃが可動する領域である。
【００１３】
このＡＣプラグ２はＡＣ栓刃をそれぞれ１つづつ備えたプラグ２１とプラグ２２により、２１の係合突起２１ａを２２の係合溝２２ａに嵌合させることによる組み合わせによって構成されている。プラグ２１はプラグ２２に対してＡＣ栓刃の間隔が変化する様に可動することができる。プラグ２１とプラグ２２の樹脂部は強度と耐トラッキング性能を確保するため、ＰＢＴ（ポリブチレンテレフタレート）、ＰＯＭ（ポリアセタール）、ＰＰＥ（ポリフェニレンエーテル）のような熱可塑性樹脂で構成されることが望ましい。
【００１４】
（実施の形態２）
ＡＣプラグ２はＡＣ商用電源に接続されて３の出力コードを介して携帯型電子機器４へ電源供給を行っている。このＡＣプラグ２は、ＡＣアダプタ本体１に対して収納された状態から垂直に突出した状態までの９０度を回動自在であり、収納された状態を０度と定義すると、０度、９０度とした際に、機器の外側に配置されるプラグ２１の係合突起がプラグ２１の係合突起と係合される係合溝を４ケ所備えたＡＣプラグホルダー５により特定の力でクリック感を与えると共に保持固定される。
【００１５】
この状態でＡＣプラグ２をＡＣ商用電源に接続すると携帯型電子機器４に対する充電が開始される。この充電は、ＡＣアダプタ本体１内部または携帯型電子機器４内部に設けられた充電制御回路により満充電検出がなされるまで行われる。
【００１６】
ＡＣプラグの栓刃とＡＣアダプタに内蔵された充電または接続回路との接続は、充電、または、接続回路が配置されたプリント基板に備えられたリン青銅のような導電性金属からなる接続端子６により行われる。
【００１７】
この構成において、ＡＣプラグ２をＡＣアダプタ本体１から引き起こして、ＡＣ商用電源に接続する場合について説明する。
【００１８】
ＡＣアダプタ本体１に収納されたＡＣプラグ２をＡＣアダプタ本体１に対して垂直に突出した状態まで９０度回動させるとき、ＡＣプラグ２の回転ガイド突起２ｃはＡＣアダプタ本体１のＡＣプラグの回転ガイド溝１ａを移動するが、回転ガイド溝１ａの端部１ｂに達した瞬間から、ＡＣプラグ２を構成する片側のプラグ２１がもう片方のプラグ２２に対して可動し始め、ＡＣプラグ２がＡＣアダプタ本体１に対して垂直に突出した状態で可動を止める。
【００１９】
ＡＣプラグ２がＡＣアダプタ本体１に対して収納状態から垂直に突出した状態になる間にＡＣ栓刃の間隔が約１．２倍広がり、垂直に突出した状態でＡＣ栓刃の間隔は法的に要求される寸法を満足しており、ＡＣプラグ２とＡＣアダプタ本体１との嵌合強度により機械的強度を確保する。
【００２０】
これにより、薄型化と小型化を実現したＡＣアダプタを構成することができる。
【００２１】
なお、本形態において、本体がＡＣアダプタではなく充電器であっても同様に構成できることは言うまでもない。
【００２２】
【発明の効果】
上記実施の形態における説明から明らかな様に、本発明によれば、回動自在なＡＣプラグを片方に対して可動可能な２つの独立した部品で構成することによりＡＣ栓刃の法的な寸法とＡＣプラグ部の機械的強度を確保すると共に、薄型化だけではなく投影面積でも小型化を実現できるＡＣアダプタまたは充電器を提供することができる。
【図面の簡単な説明】
【図１】本発明の一実施形態におけるＡＣアダプタの外観図
【図２】本発明の実施の形態１におけるＡＣアダプタのＺ−Ｚ‘断面図
【図３】本発明の実施の形態２におけるＡＣアダプタのＺ−Ｚ‘断面図
【図４】従来のＡＣアダプタの外観図
【符号の説明】
１　ＡＣアダプタ本体
１ａ　ＡＣプラグの回転ガイド溝
１ｂ　ＡＣプラグの回転ガイド溝の端部
２　ＡＣプラグ
２ａ　栓刃
２ｂ　栓刃
２ｃ　ＡＣプラグの回転ガイド突起
２１　プラグ
２１ａ　係合突起
２２　プラグ
２２ａ　係合溝
２２ｂ　係合溝
３　出力コード
４　携帯型電子機器
５　ＡＣプラグホルダー
５ａ　係合突起
６　接続端子
６　プリント基板
【図１】
2004071543.tif 000003
【図２】
2004071543.tif 000004
【図３】
2004071543.tif 000005
【図４】
2004071543.tif 000006